(57)【特許請求の範囲】
【請求項１】
載置した状態で演奏可能な楽器であって、
一方向に延設される略板状の楽器本体部と、
前記楽器本体部の載置面に突設され、前記楽器本体部の延設方向に向かって延設される第１突起部と、
前記載置面に突設され、前記延設方向と直交する幅方向において前記楽器本体部の重心を間に挟んで前記第１突起部と対向する位置に設けられる第２突起部と、を備え、
前記第１突起部及び前記第２突起部は、前記第１突起部の前記延設方向における両側端部の各々と、前記第２突起部とを頂点とする多角形で囲まれる領域内に前記重心を配置する位置に設けられることを特徴とする楽器。
【請求項２】
前記第２突起部は、前記延設方向において互いの間に所定の隙間を設けて対向する２つの突起部を有することを特徴とする請求項１に記載の楽器。
【請求項３】
前記楽器本体部は、前記幅方向において互いに対向する２つの側面部のうち、前記幅方向において前記第２突起部とは反対側に設けられる前記側面部に把持部を有することを特徴とする請求項１又は請求項２に記載の楽器。
【請求項４】
前記第１突起部及び前記第２突起部の各々は、前記載置面の前記幅方向における端部に設けられることを特徴とする請求項１乃至請求項３の何れかに記載の楽器。
【請求項５】
前記楽器本体部は、前記延設方向において、前記第１突起部及び前記第２突起部よりも外側に設けられる複数の第３突起部をさらに備え、
前記複数の第３突起部は、当該複数の第３突起部の各々を頂点とする多角形で囲まれる領域内に前記重心を配置する位置に設けられ、
前記複数の第３突起部の前記載置面から先端部までの長さは、前記第１突起部及び前記第２突起部の前記載置面から先端部までの長さに比べて長いことを特徴とする請求項１乃至請求項４の何れかに記載の楽器。
【発明の詳細な説明】
【技術分野】
【０００１】
本発明は、載置した状態で演奏可能な楽器に関するものである。
【背景技術】
【０００２】
例えば、木琴やキーボードといった楽器は、机やスタンドに載置した状態で演奏する。従来、木琴（シロフォン）を載置するためのスタンドであって、折り畳み可能なものがある（例えば、非特許文献１など）。非特許文献１に開示されるスタンドは、４つの棒部を十字に交差させた略Ｘ字形状をなしている。スタンドは、交差する棒部の下端部をフロア上の異なる位置に配置してバランスをとった状態で立設して使用される。また、スタンドは、交差する棒部の上端部によって木琴の下面（載置面）を支持する。
【先行技術文献】
【特許文献】
【０００３】
【非特許文献１】Adams Musical Instruments、”３．０Octaves,X-Stand&Soundbox”、［online]、［２０１５年１２月２日検索］、インターネット＜ＵＲＬ：http://www.adams-music.com/shop/product/detail/?i=Marimba+Academy+Desktop%2C+MSLD30%2C+3.0+okt.%2C+C3-C6%2C+padouk+bars+58-40+mm%2C+X-stand&id=2MBJ2APD30&t=pf&lid=1033＞
【発明の概要】
【発明が解決しようとする課題】
【０００４】
上記したスタンドにおいて、木琴を下方から支持する棒部の上端部間の距離は、交差する部分の角度を調整することで変更される。例えば、スタンドは、交差部分を広げると、上端部間の距離が長くなる一方で、スタンドの高さが相対的に低くなる。また、例えば、スタンドは、交差部分を狭めると、上端部間の距離が短くなる一方で、スタンドの高さが相対的に高くる。ユーザ（演奏者など）は、木琴の長さや自己の身長等に応じてスタンドの交差部分の角度を調整する。しかしながら、交差部分の角度の設定を誤ったり、木琴を設置する位置を誤ったりすると、木琴は、スタンドから落下等する虞がある。このため、この種の楽器では、誤って設置しないための改善が要求されている。
【０００５】
本願は、上記の課題に鑑み提案されたものであって、誤った設置状態をユーザに気付かせることができる楽器を提供することを目的とする。
【課題を解決するための手段】
【０００６】
本願に係る楽器は、載置した状態で演奏可能な楽器であって、一方向に延設される略板状の楽器本体部と、楽器本体部の載置面に突設され、楽器本体部の延設方向に向かって延設される第１突起部と、載置面に突設され、延設方向と直交する幅方向において楽器本体部の重心を間に挟んで第１突起部と対向する位置に設けられる第２突起部と、を備え、第１突起部及び第２突起部は、第１突起部の延設方向における両側端部の各々と、第２突起部とを頂点とする多角形で囲まれる領域内に重心を配置する位置に設けられることを特徴とする。
【０００７】
当該楽器では、第１突起部は、楽器本体の載置面に突設され、楽器本体部の延設方向に向かって延設される。また、楽器本体部の重心は、第１突起部の端部と、第２突起部とを頂点とする多角形で囲まれる領域内に配置される。これにより、第１突起部は、例えば、Ｘ字形状のスタンドの誤った位置に楽器を設置した場合に、スタンドの上端部と接触し、楽器本体部を不安定な状態とする。楽器本体部が不安定な状態となることで、ユーザは、設置位置等が誤っていることに気付き、第１突起部がスタンドに接触しない位置等の適正な位置に楽器を設置する対応を行うことができる。また、当該楽器では、重心を囲むように配置した第１突起部及び第２突起部を机等の上に接触するように配置することで、第１突起部及び第２突起部によって楽器本体部を支持して安定して設置することができる。
【０００８】
また、本願に係る楽器において、第２突起部は、延設方向において互いの間に所定の隙間を設けて対向する２つの突起部を有する構成でもよい。
【０００９】
当該楽器では、ユーザは、例えば、２つの第２突起部間の隙間から挿入した手によって、重心により近い位置で楽器本体部を支えることができる。これにより、ユーザは、例えば、第１突起部及び第２突起部を机等に接触させた状態で設置した楽器を持ち上げる場合に、第２突起部間の隙間に挿入した手によって容易に持ち上げることができる。
【００１０】
また、本願に係る楽器において、楽器本体部は、幅方向において互いに対向する２つの側面部のうち、幅方向において第２突起部とは反対側に設けられる側面部に把持部を有する構成でもよい。
【００１１】
当該楽器では、ユーザは、例えば、載置面の第２突起部側を一方の手で支え、第２突起部とは反対側に設けられた把持部をもう一方の手で支えることによって、楽器本体部を幅方向の両側から安定して持ち上げ等することができる。好適には、ユーザは、例えば、２つの第２突起部間の隙間に一方の手を入れて載置面を支え、把持部をもう一方の手で支えることができる。これにより、ユーザは、楽器の設置作業や撤去作業等を容易に実施することが可能となる。
【００１２】
また、本願に係る楽器において、第１突起部及び第２突起部の各々は、載置面の幅方向における端部に設けられる構成でもよい。
【００１３】
ユーザは、当該楽器を持ち運ぼうとする場合に、幅方向の端部から楽器本体部の下方（載置面側）に手を挿入すると、端部に設けた第１突起部及び第２突起部に手が接触することとなる。ユーザは、第１突起部及び第２突起部を目視で確認することなく、楽器本体部を支える手の感触で第１突起部及び第２突起部の位置を確認することができる。これにより、ユーザは、手の感触で第１突起部等の位置を把握しながら楽器の設置作業を行うことができる。
【００１４】
また、本願に係る楽器において、楽器本体部は、延設方向において、第１突起部及び第２突起部よりも外側に設けられる複数の第３突起部をさらに備え、複数の第３突起部は、当該複数の第３突起部の各々を頂点とする多角形で囲まれる領域内に重心を配置する位置に設けられ、複数の第３突起部の載置面から先端部までの長さは、第１突起部及び第２突起部の載置面から先端部までの長さに比べて長い構成でもよい。
【００１５】
楽器本体部の延設方向において第３突起部間の距離よりも短い長さの机等に設置する場合、当該楽器は、第１突起部及び第２突起部を机等に接触させた状態で設置される。この状態では、第３突起部は、机等と接触しない位置となる。一方で、延設方向において第３突起部間の距離よりも長い長さの机等に設置する場合、当該楽器は、第３突起部を机等に接触させた状態で設置される。この状態では、載置面から突出する長さが短い第１突起部及び第２突起部は、机等と接触又は離間する位置になる。つまり、当該楽器では、第３突起部で支持した状態において、第１突起部及び第２突起部が机等に当たってがたつく等の不具合の発生が抑制される。また、当該楽器では、机等の長さに応じて支持する突起部を適切に使い分け、楽器を安定した状態で設置することができる。
【発明の効果】
【００１６】
本願に係る楽器によれば、誤った設置状態をユーザに気付かせることができる。
【図面の簡単な説明】
【００１７】
【図１】実施形態に係る木琴をスタンドに設置した状態を示す斜視図である。
【図２】木琴の載置面（下面）を示す平面図である。
【図３】木琴をスタンドに対して誤って設置した状態を示す模式図である。
【図４】左右方向に短い机に木琴を設置した状態を示す模式図である。
【図５】左右方向に長い机に木琴を設置した状態を示す模式図である。
【図６】木琴を縦置きした状態を示す模式図である。
【発明を実施するための形態】
【００１８】
以下、本発明の楽器を具体化した一実施形態である木琴について説明する。図１は、本実施形態の木琴１０を、スタンド１１に設置した状態を示している。図２は、木琴１０の載置面である底板２１Ａ（下面）側を示している。木琴１０は、例えば、シロフォンやマリンバであり、本体部２１と、複数の音板２３と、側板２７，２８等を有している。木琴１０は、後述する把持部２９（図２参照）を持ってユーザ（演奏者など）が持ち運び可能な可搬性を有する楽器であり、脚部や共鳴パイプ等を有していない。なお、木琴１０は、脚部や共鳴パイプ等を着脱可能な構成でもよい。
【００１９】
本体部２１は、一方向に延設された略板状をなしている。以下の説明では、図１及び図２に示すように、本体部２１が延設される方向を左右方向、底板２１Ａの平面と平行で左右方向に直交する方向を前後方向、左右方向及び前後方向に直交する方向を上下方向と称して説明する。本実施形態の木琴１０における左右方向は、例えば、側板２７，２８の各々の平面に直交する方向となる。
【００２０】
本体部２１は、上下方向の厚さを薄くし、左右方向に長い略板状をなしている。本体部２１の下面を構成する底板２１Ａは、図２に示すように、下方向から見た場合に、左側（図２における右側）から右側（図中の左側）に向かうに従って、前後方向の幅を徐々に長くした台形形状をなしている。底板２１Ａの上には、長枠２１Ｂが設けられている。長枠２１Ｂは、底板２１Ａの上面に立設した状態で取り付けられている。
【００２１】
長枠２１Ｂは、前後方向で対向する１組が、前方側に１組と、後方側に１組との合計で２組が設けられている。長枠２１Ｂの各々は、前後方向に薄く、左右方向に長い略板状をなしている。各組の長枠２１Ｂは、前後方向において所定の大きさの隙間を間に設けて対向した状態で、左右方向に向かって延設されている。
【００２２】
前方側の１組の長枠２１Ｂは、後方側のもう１組の長枠２１Ｂに比べて高さが高くなっている。このため、長枠２１Ｂは、前方側に比べて後方側を低くした段差部分を構成している。複数の音板２３は、高さの異なる２組の長枠２１Ｂの各々に設けられ、左右方向に向かって所定の間隔ごとに配置されている。複数の音板２３は、それぞれ異なる音階を構成するように長さや断面形状等が選定されている。本実施形態の音板２３は、左側から右側に向かうに従って前後方向の長さが長くなっており、音階が徐々に低くなっている。後方側の低くなった１組の長枠２１Ｂには、例えば、幹音に対応する複数の音板２３（幹音板）が取り付けられている。また、前方側の高くなった１組の長枠２１Ｂには、例えば、派生音に対応する複数の音板２３（派生音板）が取り付けられている。
【００２３】
側板２７は、上下方向及び前後方向に沿った平面を有する板状をなしている。側板２７は、本体部２１の底板２１Ａ及び４つの長枠２１Ｂの各々の右側端面を覆うようにして固定されている。側板２７には、２組の長枠２１Ｂの形状に合わせた段差部分が形成されている。同様に、側板２８は、上下方向及び前後方向に沿った平面を有する板状をなしている。側板２８は、底板２１Ａ及び長枠２１Ｂの各々の左側端面を覆うようにして固定されている。側板２８には、２組の長枠２１Ｂの形状に合わせた段差部分が形成されている。上記したように本体部２１の前後の幅は、右側に比べて左側の幅が小さくなっている。このため、本体部２１の形状に合わせて形成された左側の側板２８は、右側の側板２７に比べて前後方向の幅が小さくなっている。
【００２４】
スタンド１１は、２本の棒部３１を十字に交差させ、交差部分を調整機構３２で連結して構成されている。棒部３１の各々は、一方向に長い略円柱形状をなしている。開いた状態のスタンド１１は、前後方向から見た場合に、略Ｘ字形状をなしている。棒部３１の各々の下端部には、当該木琴１０を設置するフロア等に載置するための脚部３４が固定されている。脚部３４の各々は、一方向に長い円柱形状をなしており、棒部３１に対して直交する方向（図１の状態では前後方向）に沿った状態で、当該棒部３１の下端部に固定されている。スタンド１１は、２つの脚部３４の各々をフロア上の異なる位置に配置してバランスをとった状態で立設している。
【００２５】
また、棒部３１の各々の上端部には、木琴１０の底板２１Ａを下方から支持するための支持部３６が固定されている。支持部３６の各々は、一方向に長い円柱形状をなしており、棒部３１に対して直交する方向（図１の状態では前後方向）に沿った状態で、当該棒部３１の上端部に固定されている。スタンド１１は、支持部３６の各々を本体部２１の底板２１Ａに当接させた状態で、木琴１０を下方から支持する。
【００２６】
また、調整機構３２は、２つの棒部３１の交差する角度θを変更するための装置である。調整機構３２は、例えば、ハンドル３２Ａを回すことでロックが解除される。ロックを解除された２つの棒部３１は、異なる角度θの位置に段階を分けて回動可能となっている。２つの棒部３１は、互いに近接する方向、又は離間する方向へ回動することで、角度θが変更される。スタンド１１は、交差部分の角度θを広げるにつれて支持部３６の左右方向の距離Ｌ１（図３参照）が長くなる一方で、スタンド１１の上下方向の高さＬ２（図３参照）が相対的に低くなる。また、スタンド１１は、角度θを狭めるにつれて支持部３６間の距離Ｌ１が短くなる一方で、スタンド１１の上下方向の高さＬ２が相対的に高くる。調整機構３２は、ハンドル３２Ａを回してロック位置まで戻すと、２つの棒部３１の相対的な位置を固定する。これにより、ユーザは、木琴１０の長さや自己の身長等に応じてスタンド１１の角度θや高さＬ２等を調整することができる。なお、図１に示すスタンド１１の形状や構成等は、一例であり、木琴１０を設置するスタンドとしては、一般的に使用される他の種類のものを用いることができる。
【００２７】
図２に示すように、本体部２１の底板２１Ａには、第１突起部４１と、２つの第２突起部４３，４４とが設けられている。第１突起部４１及び第２突起部４３，４４は、底板２１Ａの平面から下方（図２における手前側）に向かって突出して形成されている。第１突起部４１及び第２突起部４３，４４は、後述するように底板２１Ａを下にして載置する際に木琴１０を支持する部分である。従って、第１突起部４１及び第２突起部４３，４４の材料としては、ゴム、木材等の本体部２１を下方から安定して支持できる材料を用いることができる。
【００２８】
第１突起部４１は、底板２１Ａの後方側の側縁部４６に沿って延設された略直方体形状をなしている。第１突起部４１は、前後方向において側縁部４６に近接する位置に固定されている。第２突起部４３，４４は、底板２１Ａの平面から突出した円錐台形状をなしている。第２突起部４３，４４の各々は、底板２１Ａの後方側の側縁部４７に沿って並設され、互いに間に所定の隙間を設けて固定されている。第２突起部４３，４４の各々は、前後方向において側縁部４７に近接する位置に固定されている。
【００２９】
ここで、木琴１０の重心５１は、例えば、図２に示す位置となる。後方側の音板２３（幹音板）は、前方側の音板２３（派生音板）に比べて数が多い。このため、木琴１０の重心５１の位置は、例えば、前後方向において後方側に偏った位置となる。また、本体部２１の前後方向の幅は、左側部分に比べて右側部分が大きくなっている。このため、木琴１０の重心５１の位置は、例えば、左右方向において右側に偏った位置となる。
【００３０】
重心５１は、第１突起部４１の左右方向の各端部と、２つの第２突起部４３，４４との各々を頂点とする四角形で囲まれた領域５３（図２に２点鎖線で示す領域）内に配置されている。より具体的には、領域５３は、第１突起部４１自体、第１突起部４１の右側端部と第２突起部４３とを結ぶ直線、第１突起部４１の左側端部と第２突起部４４とを結ぶ直線、及び第２突起部４３，４４を結ぶ直線で囲まれた領域である。換言すれば、第１突起部４１及び第２突起部４３，４４は、上記した領域５３内に重心５１を配置する位置に設けられている。
【００３１】
また、本体部２１は、後方側（側縁部４６側）の後方を向いた端面に把持部２９が設けられている。把持部２９は、上下方向から見た場合に、略Ｕ字形状をなしている。把持部２９は、左右方向において重心５１の位置に合わせて設けられている。より具体的には、把持部２９は、左右方向に広がるＵ字形状の開口部分の間に重心５１を配置するように設けられている。これにより、ユーザは、把持部２９を持って木琴１０を安定して持ち運ぶことができる。
【００３２】
また、側板２７の下面２７Ａには、２つの第３突起部５５が設けられている。２つの第３突起部５５は、下面２７Ａにおける前後方向の両端の各々に固定されている。同様に、側板２８の下面２８Ａには、２つの第３突起部５６が設けられている。２つの第３突起部５６は、下面２８Ａにおける前後方向の両端の各々に固定されている。第３突起部５５，５６は、下面２７Ａ，２８Ａから下方に突出した円錐台形状をなしており、例えば、ゴム等によって形成されている。また、重心５１は、この４つの第３突起部５５，５６を頂点とする台形形状の領域５８（図２に２点鎖線で示す領域）内に配置されている。換言すれば、第３突起部５５，５６は、上記した領域５８内に重心５１を配置する位置に設けられている。
【００３３】
また、側板２７の右側の端面には、２つの第４突起部６１が設けられている。第４突起部６１は、側板２７の右側端面から右側に向かって突出した円錐台形状をなしており、例えば、ゴム等よって形成されている。２つの第４突起部６１は、側板２７の右側端面における前後方向の両端の各々に固定されている。２つの第４突起部６１の各々は、前後方向において、重心５１を間に挟んだ位置に設けられている。第４突起部６１は、後述するように木琴１０を壁等に立て掛ける際に木琴１０を支持する部分である。このため、第４突起部６１は、左右方向で対向する２つの側板２７，２８のうち、重心５１が偏っている側板２７側に設けられている。
【００３４】
また、図１に示すように、側板２７の前面２７Ｂには、２つの第５突起部６３が設けられている。２つの第５突起部６３は、前面２７Ｂにおける上下方向の両端の各々に固定されている。第５突起部６３は、前面２７Ｂから前方に向かって突出する円錐台形状をなしている。同様に、側板２８の前面２８Ｂには、２つの第５突起部６４が設けられている。２つの第５突起部６４は、前面２８Ｂにおける上下方向の両端の各々に固定されている。第５突起部６４は、前面２８Ｂから前方に向かって突出する円錐台形状をなしている。第５突起部６３，６４の各々は、例えば、ゴム等によって形成されている。第５突起部６３，６４は、第４突起部６１と同様に、木琴１０を壁等に立て掛ける際に木琴１０を支持する部分である。
【００３５】
（木琴１０のスタンド１１への載置状態について）
次に、上記した木琴１０の載置状態について説明する。図１に示すように、スタンド１１は、例えば、２つの支持部３６の左右方向における間に、第１突起部４１及び第２突起部４３，４４を挟むようにして木琴１０を下方から支持する。この状態では、左右方向において、木琴１０の重心５１は、２つの支持部３６の間に配置された状態となる。上記したように、木琴１０は、前後方向や左右方向において非対称な構造をなしている。このため、ユーザは、木琴１０の外観を一見しただけではスタンド１１の支持部３６で木琴１０の底板２１Ａのどの部分を支えればよいのかを把握することは難しく、木琴１０をスタンド１１に対して誤って設置する虞がある。
【００３６】
図３は、木琴１０及びスタンド１１の模式図を示しており、木琴１０をスタンド１１に対して誤って設置した状態を示している。なお、図３では、図面が煩雑となるのを避けるため、木琴１０の音板２３や、スタンド１１の調整機構３２等の図示を省略している。本実施形態の木琴１０は、脚部や共鳴パイプ等を有していないため、持ち運びが可能である。このため、ユーザは、自宅、学校、コンサートホール等の様々な場所に木琴１０を運んで設置することができる。この際に、ユーザは、同一又は異なる種類のスタンド１１を使用し、さらにスタンド１１の角度θや高さＬ２を適宜調整してから木琴１０を設置する。支持部３６間の距離Ｌ１や角度θは、木琴１０の左右方向の長さや重心５１（図２参照）の位置に合わせた大きさとする必要がある。支持部３６の位置に対して本体部２１を左右方向でずれた位置に設置すると、木琴１０がバランスを崩してスタンド１１から落下する、あるいはスタンド１１が転倒する虞がある。これに対し、本実施形態の第１突起部４１は、過った状態で設置した場合に、支持部３６と接触する位置に設けられている。
【００３７】
具体的には、第１突起部４１は、仮に、第１突起部４１を設けていない木琴１０をスタンド１１に設置した場合に、底板２１Ａを支持部３６で支持すると木琴１０がバランスを崩す位置に対応して設けられている。換言すれば、第１突起部４１は、底板２１Ａにおいて支持部３６によって支持してはいけない部分に設けられている。例えば、図３に示すように、第１突起部４１と支持部３６とが接触する位置に木琴１０を設置する。そうすると第１突起部４１を設けていない場合には底板２１Ａの全面が平らとなるため、ユーザは、スタンド１１の支持部３６で底板２１Ａを支持する位置を自由に決めて設置することができ、好ましくない。このため、ユーザは、設置した瞬間、あるいは設置後の一定時間は正しく設置できたと勘違いする可能性がある。しかしながら、実際には重心５１の位置が支持部３６に対してずれており、設置した後に、木琴１０は、図３に２点鎖線や矢印８１で示すように、バランスを崩して落下等する虞がある。
【００３８】
これに対し、本実施形態の木琴１０では、スタンド１１に対して誤った位置に設置すると、支持部３６と第１突起部４１とが接触し、設置した時点で不安定な状態（がたつく状態）となる。このため、ユーザは、設置中に木琴１０のがたつきによって、設置位置が誤っていることに気付くことができる。そして、ユーザは、支持部３６の左右方向の間に第１突起部４１を嵌め込むようにし、スタンド１１に対して木琴１０を正しく設置することができる。これにより、木琴１０の落下やスタンド１１の転倒等を防止することができる。
【００３９】
上述したように、第１突起部４１は、過った状態で設置した場合に、支持部３６と接触する位置に設けられている。このため、例えば、第１突起部４１の左右方向の長さは、スタンド１１を木琴１０が設置可能な最小の角度まで角度θを狭くした状態において、２つの支持部３６の間に嵌まり込む長さが設定されている。これにより、スタンド１１を設置可能な最小の角度θまで狭めても、第１突起部４１を目印に木琴１０を適切な位置に設置することができる。またこのことにより、ユーザはスタンド１１を設置可能な最小の角度θ以上に狭めてしまった場合には木琴１０を適切な位置に設置することができなくなるため、ユーザはスタンド１１を最小の角度θ以上に狭めてしまったことに気付くことができる。これにより、常に最小の角度θを確保するようユーザに促すこともできる。
【００４０】
（長さの異なる机７１，７２に木琴１０を設置する場合について）
次に、図４及び図５を用いて長さの異なる机７１，７２に木琴１０を設置する状態について説明する。図４は、机７１上に木琴１０を設置した状態を示している。図５は、机７２上に木琴１０を設置した状態を示している。図４に示す机７１の左右方向の長さＬ３は、図５に示す机７２の左右方向の長さＬ４に比べて短くなっている。
【００４１】
図４に示すように、長さＬ３の短い机７１に設置した木琴１０は、第１突起部４１及び第２突起部４３，４４を机７１の上面に接触させた状態で設置される。この状態では、木琴１０は、第１突起部４１及び第２突起部４３，４４の３つの突起部によって支持された状態となる。上記したように、第１突起部４１及び第２突起部４３，４４は、図２に示す領域５３内に重心５１を配置する位置に設けられている。これにより、第１突起部４１及び第２突起部４３，４４は、机７１に対して本体部２１を下方から安定して支持することが可能となる。また、本体部２１は、机７１と直接接触しないため、傷が発生するなどの不具合が抑制される。なお、机７１に設置した木琴１０は、側板２８及び側板２７（第３突起部５５，５６）を机７１に接しない状態で設置される。
【００４２】
一方で、図５に示すように、長さＬ４の長い机７２に設置した木琴１０は、第３突起部５５，５６を机７２の上面に接触させた状態で設置される。この状態では、木琴１０は、第３突起部５５，５６の４つの突起部によって支持された状態となる。上記したように、第３突起部５５，５６は、図２に示す領域５８内に重心５１を配置する位置に設けられている。これにより、第３突起部５５，５６は、机７２に対して本体部２１を下方から安定して支持することが可能となる。また、机７２に設置した状態では、第１突起部４１及び第２突起部４３，４４は、机７２に接しない状態となる。
【００４３】
第１突起部４１及び第２突起部４３，４４は、机７２との上下方向の間に長さＬ５の隙間を設けて設置される。換言すれば、第３突起部５５，５６（側板２７及び側板２８の一部を含む）の底板２１Ａから先端までの長さは、第１突起部４１及び第２突起部４３，４４の底板２１Ａから先端までの長さに比べて長くなっている。第３突起部５５，５６の先端の位置は、第１突起部４１及び第２突起部４３，４４の先端の位置に比べて下方に位置する。これにより、図５に示すように、第３突起部５５，５６によって支持する場合に、木琴１０は、第１突起部４１等が机７２に当たってがたつき等が発生するのを防止される。
【００４４】
（木琴１０の縦置きについて）
次に、図６を参照して木琴１０を縦置きにした場合について説明する。図６の２点鎖線で示すように、本実施形態の木琴１０は、側板２７を下側、側板２８を上側として、延設方向を上下方向とした直立した状態で設置することが考えられる。しかしながら、木琴１０は、図１及び図２に示すように、前後方向や左右方向において非対称な構造となっている。ここで、仮に、第４突起部６１を設けていない場合には側板２７の全面が平らとなるため、ユーザは、側板２７の全面をフロア７４に当接させて自立した状態で設置することができる。この場合、木琴１０は、矢印８３に示す方向へ倒れやすい。
【００４５】
これに対し、本実施形態の木琴１０は、側板２７に第４突起部６１が設けられており、側板２７を下側としてフロア７４に設置しようとすると、不安定な状態となる。このため、ユーザは、設置中に木琴１０が矢印８３の方向等に揺動することで、２点鎖線で示す直立状態とする設置方法が誤っていることに気付くことができる。そして、ユーザは、図６に実線で示すように、壁７５に立て掛ける状態で木琴１０を設置する等の改善を行うことができる。この場合、側板２７は、第４突起部６１をフロア７４に接触させた状態となる。また、側板２８は、第３突起部５６を壁７５に接触させた状態となる。これにより、側板２７及び側板２８は、フロア７４や壁７５と直接接触しないため、傷が発生するなどの不具合が抑制される。
【００４６】
なお、本実施形態の木琴１０は、側板２７の前面２７Ｂ及び側板２８の前面２８Ｂの各々に第５突起部６３，６４が合計で４つ設けられている。このため、木琴１０は、前面２７Ｂ，２８Ｂを下側としてフロア７４に設置した場合、４つの第５突起部６３，６４によって支持され、安定して自立することができる。例えば、ユーザは、木琴１０を自立させ保管するスペース等を小さくすることができる。
【００４７】
また、仮に、前面２７Ｂ，２８Ｂを下側として縦置きすることが不安定などの理由から好ましくない場合には、第５突起部６３，６４を、第４突起部６１と同様の目的で使用することができる。具体的には、例えば、前面２７Ｂに１つの第５突起部６３を設け、前面２８Ｂに１つの第５突起部６４を設ける。この場合、ユーザは、第４突起部６１の場合と同様に、前面２７Ｂ，２８Ｂを下側としてフロア７４に設置しようとすると不安定な状態となることに気付き、壁７５に立て掛けるなどの適切な対応を行うことができる。なお、木琴１０は、第５突起部６３，６４のうち、どちらか一方を１つ（合計で１つ）だけ備える構成でもよい。
【００４８】
因みに、上記実施形態において木琴１０は、楽器の一例である。本体部２１は、楽器本体部の一例である。底板２１Ａの下面は、載置面の一例である。側板２７，２８は、楽器本体部の一例である。左右方向は、延設方向の一例である。
【００４９】
以上、上記した実施形態によれば、以下の効果を奏する。
＜効果１＞木琴１０の重心５１は、第１突起部４１の端部と、第２突起部４３，４４とを頂点とする四角形で囲まれる領域５３内に配置されている。これにより、第１突起部４１は、Ｘ字形状のスタンド１１の誤った位置に木琴１０を設置した場合に、スタンド１１の支持部３６と接触する。木琴１０は、スタンド１１に設置した時点で不安定な状態（がたつく状態）となる。木琴１０が不安定な状態となることで、ユーザは、設置位置等が誤っていることに気付き、スタンド１１に対して木琴１０を正しく設置するなどの対応を行うことができる。
【００５０】
＜効果２＞２つの第２突起部４３，４４は、底板２１Ａの後方側の側縁部４７に沿って並設され、互いに間に所定の隙間を設けて固定されている。これにより、ユーザは、２つの第２突起部４３，４４間の隙間から挿入した手によって、重心５１により近い位置で底板２１Ａを支えることができる。ユーザは、例えば、図４に示す第１突起部４１及び第２突起部４３，４４を机７１に接触させた状態で設置した木琴１０を持ち上げる場合に、第２突起部４３，４４間の隙間に挿入した手によって容易に持ち上げることができる。
【００５１】
＜効果３＞把持部２９は、前後方向において第２突起部４３，４４とは反対の後方側（側縁部４６側）の端面に設けられている。これにより、ユーザは、第２突起部４３，４４間の隙間に一方の手を挿入して底板２１Ａを支え、把持部２９をもう一方の手で支えることによって、本体部２１を前後方向の両側から安定して持ち上げることができる。ユーザは、木琴１０の設置作業や撤去作業等を容易に実施することが可能となる。
【００５２】
＜効果４＞第１突起部４１は、前後方向において側縁部４６に近接する位置に固定されている。第２突起部４３，４４の各々は、前後方向において側縁部４７に近接する位置に固定されている。ユーザは、木琴１０の左右方向の中心部を持とうとする場合に、前後方向の両側から底板２１Ａの下に手を挿入すると、側縁部４６及び側縁部４７に近接する位置に設けた第１突起部４１及び第２突起部４３，４４に手が接触することとなる。ユーザは、第１突起部４１及び第２突起部４３，４４を目視で確認することなく、本体部２１を支える手の感触で第１突起部４１及び第２突起部４３，４４の位置を確認することができる。これにより、ユーザは、手の感触で第１突起部等の位置を把握しつつ、目視によってスタンド１１の位置等を確認しながら木琴１０の設置作業を適切に行うことができる。
【００５３】
＜効果５＞第３突起部５５，５６の底板２１Ａから先端までの長さは、第１突起部４１及び第２突起部４３，４４の底板２１Ａから先端までの長さに比べて長くなっている（図５参照）。これにより、本実施形態の木琴１０では、第３突起部５５，５６によって支持した状態において、第１突起部４１等が机７２に接触してがたつく等の不具合の発生が抑制される。例えば、学校などで用いられる比較的幅の狭い机７１で使用する場合には第１突起部４１及び第２突起部４３，４４によって木琴１０を支持し（図４参照）、コンサートホールなどで用いられる比較的長い机７２で使用する場合には第３突起部５５，５６によって木琴１０を支持し（図５参照）、突起部を適切に使い分け、木琴１０を安定した状態で設置することができる。
【００５４】
＜効果６＞木琴１０は、側板２７に第４突起部６１が設けられており、側板２７を下側としてフロア７４に設置しようとすると、不安定な状態となる（図６参照）。このため、ユーザは、設置方法が誤っていることに気付き、壁７５に立て掛けるなどの適切な対応を行うことができる。また、側板２７は、第４突起部６１を設けたことでフロア７４と直接接触しないため、傷が発生するなどの不具合が抑制される。
【００５５】
＜効果７＞また、２つの第４突起部６１の各々は、前後方向において、重心５１を間に挟んだ位置に設けられている。これにより、第４突起部６１は、フロア７４に接触して不安定な状態をユーザに気付かせるだけでなく、壁７５に立て掛けた木琴１０が図６における紙面直交方向に向かって転倒しないように安定して支持することができる。
【００５６】
＜効果８＞把持部２９は、本体部２１の後方側（演奏者側）に設けられており、前方側にいる観客からは見えない位置となっている。このため、把持部２９を後方側に隠すことで、観客から見る木琴１０の美感をよくすることができる。
【００５７】
＜効果９＞木琴１０をスタンド１１に正しく設置した状態では、第１突起部４１及び第２突起部４３，４４は、スタンド１１の２つの支持部３６の左右方向における間に配置される。仮に、木琴１０の位置が左右方向にずれた場合、第１突起部４１及び第２突起部４３，４４は、２つの支持部３６のいずれか一方の内側部分に係合する。従って、第１突起部４１及び第２突起部４３，４４は、スタンド１１に対する木琴１０の左右方向への設置位置のずれに対して、ストッパとして機能する。
【００５８】
尚、本発明は上記実施形態に限定されるものではなく、本発明の趣旨を逸脱しない範囲内での種々の改良、変更が可能であることは言うまでもない。
例えば、上記した第１突起部４１及び第２突起部４３，４４の位置、形状、大きさ等は一例であり、適宜変更可能である。例えば、第１突起部４１は、底板２１Ａの側縁部４６に沿って延設された形状であったが、その一部が湾曲した形状でもよい。また、第２突起部４３，４４は、１個又は３以上の複数個でもよい。例えば、１つの場合、１つの円錐台形状の第２突起部４３と第１突起部４１の両端とを結ぶ三角形状の領域５３内に重心５１を配置する構成でもよい。また、上記実施形態では第２突起部４３，４４を、２つの部材で構成したが、これに限らず、第１突起部４１と同様に、底板２１Ａの側縁部４７に沿って延設された１つの直方体形状の部材で第２突起部を構成してもよい。
【００５９】
また、上記実施形態では、第１突起部４１や第２突起部４３，４４等を、本体部２１や側板２７等と別部材として設けたが、これに限らない。例えば、第１突起部４１を、木製の底板２１Ａの一部を凸設して、一体的に形成してもよい。また、例えば、第４突起部６１を、側板２７の右側の平らな端面を凹凸形状に加工して形成してもよい。この場合にも、側板２７は、フロア７４と全面が接触しないため、不安定な状態となる。あるいは、第４突起部６１は、側板２７に埋設された半球状の部材でもよい。
【００６０】
また、上記実施形態では、把持部２９を、本体部２１の後方側（側縁部４６側）の後方を向いた端面に設けたが、これに限らない。例えば、把持部２９を、本体部２１の前方側（第２突起部４３，４４側）の端面に設けてもよく、前後方向の両側の端面に把持部２９をそれぞれ設けてもよい。また、本体部２１は、把持部２９を有しない構成でもよい。また、本体部２１は、本体部２１の上面に把持部２９を有してもよい。
【００６１】
また、上記実施形態では、第１突起部４１を前後方向において側縁部４６に近接する位置に設け、第２突起部４３，４４を前後方向において側縁部４７に近接する位置に設けたが、これに限らない。例えば、第１突起部４１を、底板２１Ａにおいて、側縁部４６から重心５１側に移動させた位置に設けてもよい。
また、本願における楽器は、木琴に限らず、グロッケンシュピール等の金属製の音板２３を有する打楽器でもよく、あるいはキーボード等の一方向に延設される長方形板状の打楽器でもよい。
また、本願における第１突起部４１を有する楽器としては、スタンド等に載置して演奏可能な他の楽器、例えば、大太鼓でもよい。この場合、大太鼓には、例えば、側面に沿って延設される第１突起部４１が設けられる。これにより、大太鼓をスタンドの誤った位置に設置した場合に、上記実施形態と同様に、ユーザは、大太鼓のぐらつきから設置場所の誤りに気付き、適切な対応を行うことができる。
【００６２】
また、上記実施形態では、第３突起部５５，５６の底板２１Ａから先端までの長さを、第１突起部４１及び第２突起部４３，４４の底板２１Ａから先端までの長さに比べて長くしたが、これに限らない。例えば、第３突起部５５，５６の先端の位置と、第１突起部４１及び第２突起部４３，４４の先端の位置とを上下方向において同一の位置としてもよい。即ち、図５に示す長さＬ５がゼロとなるように構成してもよい。また、第１突起部４１の先端の位置と、第２突起部４３，４４の先端の位置とを、上下方向において異なる位置としてもよい。
また、木琴１０は、第３突起部５５，５６、第４突起部６１及び第５突起部６３，６４の少なくとも１つを有しない構成でもよい。
また、上記実施形態では、木琴１０を設置する設置部材として、スタンド１１や机７１，７２に例に説明したが、これに限らない。例えば、設置部材は、設置部分にウレタン等を有するパーカッション用のスタンドでもよい。
また、上記実施形態におけるスタンド１１や机７１の形状等は、一例であり、他の形状等のスタンド１１などに木琴１０を載置してもよい。例えば、スタンド１１は、木琴１０を支持する支持部３６が円柱形状をなしていたが、これに限らず、木琴１０を載置する平面を有する半円柱形状や直方体形状のものでもよい。
【符号の説明】
【００６３】
１０  木琴（楽器）、２１  本体部（楽器本体部）、２１Ａ  底板（載置面）、２９  把持部、４１  第１突起部、４３，４４  第２突起部、５１  重心、５３，５８  領域、５５，５６  第３突起部。
【図１】
0006583078.tif 000002
【図２】
0006583078.tif 000003
【図３】
0006583078.tif 000004
【図４】
0006583078.tif 000005
【図５】
0006583078.tif 000006
【図６】
0006583078.tif 000007